(57)【要約】【課題】容易かつ確実にネットを張設できると共に設置が容易なグリーンカーテン形成器具を提供する。【解決手段】横断面三角形状の外筒部材と外筒部材に長手方向に差し込まれた横断面三角形状の内筒部材３とを有し、テラス天井面とテラス床面の間で突張らせるように伸縮・固定自在な複数の突張部材を備え、外筒部材及び内筒部材３は、一側壁31ａに貫設した孔部90を有し、さらに、ウエイト係止部材92と、ウエイト係止部材92に揺動自在に枢着したフック部材93と、を有する挿入フック体91を、孔部90に挿入して、外筒部材及び内筒部材３の挿入フック体91に、植物が巻き付くためのネット９を引掛けてネット９を張設するように構成した。【選択図】図16
0003172662.tif 000002
【実用新案登録請求の範囲】
【請求項１】
横断面三角形状の外筒部材（２）と該外筒部材（２）に長手方向に差し込まれた横断面三角形状の内筒部材（３）とを有し、テラス天井面（Ｔ１）とテラス床面（Ｔ２）の間で突張らせるように伸縮・固定自在な複数の突張部材（１）（１）を備え、
上記外筒部材（２）及び上記内筒部材（３）は、一側壁（21ａ）（31ａ）に貫設した孔部（90）を有し、
さらに、ウエイト係止部材（92）と、該ウエイト係止部材（92）に揺動自在に枢結したフック部材（93）と、を有する挿入フック体（91）を、上記孔部（90）に挿入して、
上記外筒部材（２）及び上記内筒部材（３）の上記挿入フック体（91）に、植物が巻き付くためのネット（９）を引掛けて該ネット（９）を張設するように構成したことを特徴とするグリーンカーテン形成器具。
【請求項２】
横断面三角形状の外筒部材（２）と該外筒部材（２）に長手方向に差し込まれた横断面三角形状の内筒部材（３）とを有し、テラス天井面（Ｔ１）とテラス床面（Ｔ２）の間で突張らせるように伸縮・固定自在な複数の突張部材（１）（１）を備え、
上記外筒部材（２）及び上記内筒部材（３）は、一側壁（21ａ）（31ａ）に貫設した切欠によって形成される引掛舌片（22）（32）を有し、
上記外筒部材（２）及び上記内筒部材（３）の上記引掛舌片（22）（32）に、植物が巻き付くためのネット（９）を引掛けて該ネット（９）を張設するように構成したことを特徴とするグリーンカーテン形成器具。
【請求項３】
上記外筒部材（２）の上記引掛舌片（22）は、上記一側壁（21ａ）から突出状に形成され、
上記内筒部材（３）の上記引掛舌片（32）は、上記一側壁（31ａ）と同一平面状に形成されている請求項２記載のグリーンカーテン形成器具。
【請求項４】
上記伸縮・固定自在にて固定するためのロック手段（８）を備え、
上記ロック手段（８）は、上記内筒部材（３）の一稜線（39ａ）に沿って所定間隔毎に形成した複数の位置決め凹部（38）と、該位置決め凹部（38）に嵌まり込むための係止凸部（83ａ）を有する平面視への字状の押さえ部材（83）と、該押さえ部材（83）を上記内筒部材（３）に対して接触・離間するように上記押さえ部材（83）に摺接するカム頭（82ａ）を有する操作レバー（82）と、を備えている請求項１，２又は３記載のグリーンカーテン形成器具。
【請求項５】
上記突張部材（１）は、上記テラス天井面（Ｔ１）に当接する上当接部材（６）と、該上当接部材（６）の上記内筒部材（３）に対する上下方向位置を調節するための微調整手段（７）と、を備え、
上記微調整手段（７）は、上記内筒部材（３）の上部に固着されると共に上記上当接部材（６）を上下方向スライド自在に保持する支持部材（71）と、該支持部材（71）に螺着され上下方向に螺進退自在な複数の調節ボルト部材（72）と、を備え、
上記調節ボルト部材（72）の螺進退にて上記上当接部材（６）の上下方向位置を調整するように構成した請求項１，２，３又は４記載のグリーンカーテン形成器具。
【考案の詳細な説明】
【技術分野】
【０００１】
本考案は、グリーンカーテン形成器具に関する。
【背景技術】
【０００２】
従来、植物が巻き付くネット（特許文献１参照）を、雨樋や廃水パイプ、ベランダの手摺り、物干し竿掛け等に、紐で縛って張設して、窓の近傍にグリーンカーテン（緑のカーテン）をつくり、室内への直射日光を遮って、室温の上昇を防止し、空調設備の消費電力を抑制していた。
【先行技術文献】
【特許文献】
【０００３】
【特許文献１】特開平１０−２６２４６８号公報
【考案の概要】
【考案が解決しようとする課題】
【０００４】
しかし、このようなネットは、紐で縛って張設した場合、紐の結束力が弱いと、突風に煽られて外れたり、絡まったりするといった問題があった。特に、高層マンションのテラス（ベランダ）では、風が強く、ネットが外れ、下の階や隣の部屋に飛んでいき近所迷惑になる場合や、道路に落下する虞があり危険であった。また、紐を強く結束すると設置に手間や時間がかかるという問題があった。
また、窓の近傍にネットを結びつける場所がない場合は、フック金具を壁面に打設する必要があり、手間や時間がかかるといった問題や、所望の位置にグリーンカーテンを設けることができないといった問題があった。
【０００５】
そこで、本考案は、容易かつ確実にネットを張設できると共に設置が容易なグリーンカーテン形成器具の提供を目的とする。
【課題を解決するための手段】
【０００６】
上記目的を達成するために、本考案のグリーンカーテン形成器具は、横断面三角形状の外筒部材と該外筒部材に長手方向に差し込まれた横断面三角形状の内筒部材とを有し、テラス天井面とテラス床面の間で突張らせるように伸縮・固定自在な複数の突張部材を備え、上記外筒部材及び上記内筒部材は、一側壁に貫設した孔部を有し、さらに、ウエイト係止部材と、該ウエイト係止部材に揺動自在に枢結したフック部材と、を有する挿入フック体を、上記孔部に挿入して、上記外筒部材及び上記内筒部材の上記挿入フック体に、植物が巻き付くためのネットを引掛けて該ネットを張設するように構成したものである。
【０００７】
或いは、横断面三角形状の外筒部材と該外筒部材に長手方向に差し込まれた横断面三角形状の内筒部材とを有し、テラス天井面とテラス床面の間で突張らせるように伸縮・固定自在な複数の突張部材を備え、上記外筒部材及び上記内筒部材は、一側壁に貫設した切欠によって形成される引掛舌片を有し、上記外筒部材及び上記内筒部材の上記引掛舌片に、植物が巻き付くためのネットを引掛けて該ネットを張設するように構成したものである。
また、上記外筒部材の上記引掛舌片は、上記一側壁から突出状に形成され、上記内筒部材の上記引掛舌片は、上記一側壁と同一平面状に形成されているものである。
【０００８】
また、上記伸縮・固定自在にて固定するためのロック手段を備え、上記ロック手段は、上記内筒部材の一稜線に沿って所定間隔毎に形成した複数の位置決め凹部と、該位置決め凹部に嵌まり込むための係止凸部を有する平面視への字状の押さえ部材と、該押さえ部材を上記内筒部材に対して接触・離間するように上記押さえ部材に摺接するカム頭を有する操作レバーと、を備えているものである。
また、上記突張部材は、上記テラス天井面に当接する上当接部材と、該上当接部材の上記内筒部材に対する上下方向位置を調節するための微調整手段と、を備え、上記微調整手段は、上記内筒部材の上部に固着されると共に上記上当接部材を上下方向スライド自在に保持する支持部材と、該支持部材に螺着され上下方向に螺進退自在な複数の調節ボルト部材と、を備え、上記調節ボルト部材の螺進退にて上記上当接部材の上下方向位置を調整するように構成したものである。
【考案の効果】
【０００９】
本考案によれば、テラス（ベランダ）内の所望の位置にネット張設でき、しかも、容易に設置できる。特に、高層マンションのテラス（ベランダ）で、ネットが突風等の強い風で飛ばされるのを防止できる。グリーンカーテンを、所望の位置（効率的な位置）に設けることができ、より良い省エネルギ効果を得ることができる。また、台風等の緊急時にネットを容易かつ迅速に取外すことができる。ネットの網目模様や、ネットの大きさに関係なく容易かつ迅速に、グリーンカーテンを形成できる。
【図面の簡単な説明】
【００１０】
【図１】本考案の第１の実施形態を示す側面図である。
【図２】第１の実施形態の正面図である。
【図３】突張部材の一例を示す斜視図である。
【図４】外筒部材の引掛舌片の一例を示す図であり、（ａ）は正面図であり、（ｂ）は（ａ）のＡ−Ａ断面図である。
【図５】外筒部材の引掛舌片の他例を示す側面断面図である。
【図６】内筒部材の引掛舌片の一例を示す図であり、（ａ）は正面図であり、（ｂ）は（ａ）のＢ−Ｂ断面図である。
【図７】調整手段の一例を示す正面断面図である。
【図８】ロック手段のロック状態を示す要部横断面図である。
【図９】ロック手段のロック解除状態を示す要部横断面図である。
【図１０】押え部材の一例を示す斜視図である。
【図１１】作用を説明する簡略平面図である。
【図１２】作用を説明する簡略平面図である。
【図１３】ロック手段の他の例を示す断面正面図である。
【図１４】第２の実施形態を示し、挿入フック体の挿入途中状態を示す要部断面平面図である。
【図１５】第２の実施形態を示し、挿入フック体の挿入途中状態を示す要部断面側面図である。
【図１６】第２の実施形態を示し、挿入フック体の取付状態を示す要部断面側面図である。
【考案を実施するための形態】
【００１１】
以下、図示の実施形態に基づき本考案を詳説する。
図１及び図２に示す第１の実施形態のように、朝顔やゴーヤ等のつる性の植物がネット９に巻き付いたグリーンカーテン（緑のカーテン、又は、緑化カーテンとも呼ばれる）を、テラス（ベランダ）Ｔに形成するためのものであって、つる性の植物が植えられたプランタ（植木鉢）Ｐの近傍に配設され、テラス天井面Ｔ１とテラス床面Ｔ２の間で突張らせるように伸縮・固定自在な２本（一対）の突張部材１，１を備えている。
【００１２】
図３に於て、突張部材１は、鉛直状に立設される横断面三角形状の外筒部材２と、外筒部材２に長手方向（上下方向）に沿ってスライド自在に差し込まれた横断面三角形状の内筒部材３と、を備えている。
突張部材１は、内筒部材３が上下方向にスライドし、外筒部材２に対して収納・突出することで伸縮自在に構成されている。
【００１３】
外筒部材２及び内筒部材３は、３つの側壁21，31の内、少なくとも一つの側壁（一側壁）21ａ，31ａに、水平方向に貫設した切欠（打ち抜きプレス加工）によって形成される引掛舌片22，32を有している。引掛舌片22，32は、長手方向に沿って直列状に複数設けられている。
【００１４】
外筒部材２の引掛舌片22（以下、第１引掛舌片22と呼ぶ場合もある）は、図４に示すように、一側壁21ａに貫設した倒立凹の字乃至倒立Ｕ字状の切欠窓部23によって形成され、ネット９の網糸９ａの抜けを防止する円形状の頭部22ａと、一側壁21ａの非切欠部と連結している首部22ｂと、を有するΩ字状に形成されている。第１引掛舌片22は、外筒部材２に上下方向に所定間隔毎に形成されている。
さらに、第１引掛舌片22は２箇所折曲げて一側壁21ａから階段状に突出されている。
或いは、図５に示すように、一側壁21ａから傾斜状に突出させて形成しても良い。
【００１５】
また、内筒部材３の引掛舌片32（以下第２引掛舌片32と呼ぶ場合もある）は、図６に示すように、一側壁31ａに貫設した倒立凹の字乃至倒立Ｕ字状の切欠窓部33によって形成され、ネット９の網糸９ａの抜けを防止する円形状の頭部32ａと、一側壁31ａの非切欠部と連結している首部32ｂと、を有するΩ字状に形成されている。第２引掛舌片32は、内筒部材３に上下方向に所定間隔毎に形成されている。そして、一側壁31ａから突出せず、一側壁31ａと同一平面状に形成されている。
【００１６】
図１乃至図３に示すように、突張部材１の下部には、外筒部材２の下部に固着され、テラス床面Ｔ２に当接する平面視矩形状の下当接部材５を備えている。下当接部材５は、下面に、ゴム等の弾性材から成る平面視矩形状の下緩衝部材51を有している。
また、突張部材１の上部には、テラス天井面Ｔ１に当接する平面視矩形状の上当接部材６を備えている。上当接部材６は、上面に、ゴム等の弾性材から成る平面視矩形状の上緩衝部材61を有している。
【００１７】
そして、図７に示すように、内筒部材３の上部と、上当接部材６の間に、上当接部材６の内筒部材３に対する上下方向の位置を調節（調整）可能、かつ、上方への押し力を付与して突張力を調節するための微調整手段７を設けている。
微調整手段７は、内筒部材３の上部に固着され上当接部材６の下面から突設された一本状の脚部62が上下方向スライド自在に挿入され上当接部材６を保持する縦断面Ｔ字状の支持部材71と、支持部材71の上部に形成された平面視矩形状の鍔部71ａに螺着される複数（４つ）の調節ボルト部材72と、調節ボルト部材72を固定するロックナット部材73と、を備えている。調節ボルト部材72の上下方向の螺進退によって、支持部材71からの上当接部材６の突出量（出代）を調整してテラス天井面Ｔ１に当接させると共に押圧力を付与して突張力を発生させ、ロックナット部材73で調節ボルト部材72を固定することで、位置決め可能、かつ、突張力を維持するように構成している。
【００１８】
図３に於て、突張部材１は、内筒部材３を長手方向に有段階で固定するためのロック手段８を備えている。
ロック手段８は、内筒部材３の３つの稜線39の内の一つの稜線（一稜線）39ａに所定間隔毎に凹設した複数の位置決め凹部38と、図８及び図９に示すように位置決め凹部38に嵌まり込むための（抜き差し自在な）係止凸部83ａを有する押さえ部材83と、外筒部材２の上部に外嵌状に固着され押さえ部材83を遊嵌状に保持する横断面三角形状のケーシング部材81と、ケーシング部材81に枢着され押さえ部材83を内筒部材３に対して接触・離間させるための操作レバー82と、を備えている。なお、図示省略するが押さえ部材83を内筒部材３から離間する方向に弾発付勢する戻しバネを設けても良い。
【００１９】
図８と図９に於て、外筒部材２は、外筒部材２の外方から、押さえ部材83の係止凸部83ａが外筒部材２内の位置決め凹部38に係合（差込）可能にするための切欠開口部28を有している。
位置決め凹部38は、第２引掛舌片32が形成されている一側壁31ａに対向する（接していない）稜線39に形成するのが望ましい。
ケーシング部材81は、外筒部材２の切欠開口部28を覆うように形成され、押さえ部材83が遊嵌状に内装される内部空間81ａを有している。
操作レバー82は、ケーシング部材81に鉛直状の枢着軸心廻りに揺動自在に枢着され、操作用の持手部82ｂと、押さえ部材83に摺接するカム頭82ａと、を有している。
【００２０】
図８乃至図10に於て、押さえ部材83は、平面視への字状に形成され、内角側に係止凸部83ａを突設し、外角側にカム頭82ａが摺動するカム摺接面83ｂを形成している。
また、図８に示すロック状態で、位置決め凹部38が形成される一稜線39ａに接する左右側の側壁31ｂ，31ｃに当接して摩擦力を付与する一対の押圧内側面83ｃ，83ｃを有している。一対の押圧内側面83ｃ，83ｃは、平面視でハの字状に配設されている。
【００２１】
つまり、ロック手段８は、持手部82ｂの揺動操作によって、図８に示すようにカム頭82ａがカム摺接面83ｂに摺接して押圧し、係止凸部83ａを位置決め凹部38に嵌め込む（差し込む）と共に押圧内側面83ｃ，83ｃを内筒部材３の左右側の側壁31ｂ，31ｃに押圧して摩擦力を付与したロック状態と、図９に示すように、係止凸部83ａが位置決め凹部38から離脱し、押圧内側面83ｃ，83ｃが内筒部材３の左右側の側壁31ｂ，31ｃから離間したロック解除状態（伸縮可能状態）と、に切換操作可能に構成している。
【００２２】
なお、操作レバー82は、図８及び図９に示したように、一側壁31ａを正面とした場合に、右側で揺動するように右勝手に枢着した場合に限らず、左勝手に（左側で揺動するように）ケーシング部材81に設けても良い。
例えば、突張部材１を２本（一対）設けた場合、一方の突張部材１の操作レバー82を右勝手に配設し、他方の突張部材１の操作レバー82を左勝手に配設するのが望ましい。つまり、各操作レバー82の垂直軸心廻りの揺動操作（左右）位置を互いに相違させるのが好ましい。
【００２３】
また、図13に示すロック手段８の他の例は、内筒部材３を無段階の所望の位置で固定可能であって、外筒部材２の上部に外嵌状に固着されるケーシング部材81´と、ケーシング部材81´に枢着される操作レバー82´と、外筒部材２の上部に形成されると共に操作レバー82´のカム頭82ａ´が内筒部材３の側壁31を摺接可能に開口した切欠開口部28´と、を備えている。
操作レバー82´の持手部82ｂ´の揺動操作によって、実線で示すようにカム頭82ａが内筒部材３を押圧して摩擦力を付与して固定するロック状態と、二点鎖線で示すようにカム頭82ａ´が内筒部材３を押圧していないロック解除状態と、に切換可能に構成している。
なお、ロック手段８の別の例として、図13を用いて説明した操作レバー82´を鉛直状軸心廻りに揺動自在に枢着して、カム頭82ａ´を内筒部材３の側壁31に押し当てて摩擦力を付与し、内筒部材３を無段階の所望位置で固定するように構成しても良い。
【００２４】
また、ネット９は、合成樹脂繊維製の撚線状で、可撓性を有するものが望ましいが、自立姿勢保持可能な金属や樹脂製の網板状とするも良い。また、図示した枡目（角目）状の網目に限らず、菱目状等自由である。
また、プランタＰの形状や材質は図示した以外のものでも良く自由である。なお、本考案に於て、プランタＰとは、植物が生育可能な容器であれば良く植木鉢も含む。
また、外筒部材２及び内筒部材３は、金属製であって、アルミダイキャスト製が好ましい。アルミダイキャストは、軽量で十分な強度があり、腐食にも強いため、テラスＴでの設置に好適である。
また、つる性植物の他の例としては、キュウリ、ヒョウタン、ヘチマ、ナス、トマト等である。
【００２５】
次に、上述した本考案のグリーンカーテン形成器具の使用方法（作用）について説明する。
例えば、２つの突張部材１，１を使用して、ネット９を、テラスＴの手摺りｔを基準に平行状に張設する場合は、屋内側Ｒに、引掛舌片22，32が形成された一側壁21ａ，31ａを向けて、一側壁21ａ，31が手摺りｔに平行状となるように配設する。ロック手段８の操作レバー82を操作してロック解除状態にして、テラス天井面Ｔ１とテラス床面Ｔ２の間で伸長させて突張らせ、操作レバー82を操作してロック状態にする。
【００２６】
ここで、テラス床面Ｔ２からテラス天井面Ｔ１までの高さは様々であり、位置決め凹部38は、所定間隔毎に形成されているため、ロック状態で、テラス天井面Ｔ１と上当接部材６の間に隙間ができる場合がある。しかし、微調整手段７によって、隙間を無くすように上当接部材６を調整することで、突張部材１が突張力を確実に発揮し、倒れや外れを確実に防止して、テラスＴに突っ張り固定される。なお、ロック手段８を無段階で固定可能とした場合は、微調整手段７による調節を省略できより迅速かつ容易に固定される。
また、テラス天井面Ｔ１やテラス床面Ｔ２に小さな凹凸があっても、下緩衝部材51及び上緩衝部材61によって凹凸に沿って密着でき、テラス天井面Ｔ１やテラス床面Ｔ２に沿うような滑りを防止する。
【００２７】
そして、引掛舌片22，32は、屋内側Ｒに向いており、使用者は、突張部材１よりも屋外側Ｑに移動せずに、容易かつ安全にネット９を引っ掛けることが可能である。つまり、手摺りｔと突張部材１の間に使用者が通ってネット９を張設するための作業空間を設ける必要がなく、突張部材１やプランタＰを屋外側Ｑに寄せて（手摺りｔに接近させて）、配設でき、テラスＴの空間を有効活用できる。
【００２８】
また、ネット９（の網糸９ａ）は、図４及び図６に示すように、引掛舌片22，32と一側壁21ａ，31ａの間で、クリップ状に（挟持するように）引掛けられ、着脱が容易でありながら確実に突張部材１に取着される。
【００２９】
また、複数（２つ）の突張部材１，１を個別に動かすことが可能であり、ネット９の幅寸法や、テラスＴの形状、テラス天井面Ｔ１までの高さ、テラスＴや窓の向き、朝日や夕方の西日の位置、等に合わせて、グリーンカーテンの大きさや位置変更（移設）が容易である。
【００３０】
特に、図11に示すように、一方の突張部材１（１Ａ）の操作レバー82を右勝手に設け、他方の突張部材１（１Ｂ）の操作レバー82を左勝手に設けると、ネット９の位置を移設したい場合や、台風等でネット９を片づけたい場合に、使用者がネット９よりも屋外側Ｑへ移動することなく、ネット９を引掛けたまま、安全かつ容易にロック解除の操作が可能である。即ち、暴風警報や竜巻警報に対応して一時的な仮倒し姿勢に即座に変更可能である。
なお、説明を容易にするために図11及び図12に於て、手摺りｔの長手方向に沿った中心線を基準線ｔａと呼んで配置を説明するが、基準線ｔａは使用者が決定した仮想線であっても良い。
【００３１】
より好ましくは、図12に示すように、一方の突張部材１Ａの引掛舌片22，32と他方の突張部材１Ｂの引掛舌片22，32が、左右内方向きの対面状、かつ、引掛舌片22，32が形成される一側壁21ａ，31ａが平面視で基準線ｔａに対して所定角度θをもって傾斜状に配設する。
所定角度θは、一側壁21ａ，31ａと、基準線ｔａと平行状となる他側壁21ｂ，31ｂと、の間の内角度αと同等である。
例えば、外筒部材２と内筒部材３が横断面正三角形状（内角度αが略６０度）に形成されている場合は、所定角度θは略６０度（５０度〜７０度）である。
このように配設することで、ネット９の引掛け作業（張設作業）、取外し作業、移設作業、及び、操作レバー82の操作（伸縮・固定作業）が、屋内側Ｒから、より容易かつ迅速に行なうことが可能となる。
【００３２】
次に、第２の実施形態について説明すると、（第１の実施形態と同様に）、グリーンカーテン形成器具は、鉛直状に立設される横断面三角形状の外筒部材２と、外筒部材２に長手方向（上下方向）に沿ってスライド自在に差し込まれた横断面三角形状の内筒部材３と、を有する突張部材１を備えている。
突張部材１は、内筒部材３が上下方向にスライドし、外筒部材２に対して収納・突出することで伸縮自在に構成されている。
【００３３】
そして、図14乃至図16に示すように、外筒部材２及び内筒部材３の３つの側壁21，31の内、少なくとも１つの側壁21ａ，31ａに、水平方向に貫設した円形の孔部90を形成している。図示省略するが、孔部90は、外筒部材２及び内筒部材３の長手方向に沿って直列状に複数設けられている。
つまり、第１の実施形態の引掛舌片22，32にかわって、孔部90を形成している。孔部90は、切削加工、プレス加工、又は、成型時による形成、のいずれも可能で、引掛舌片22，32をプレス加工する場合に比べ、迅速かつ容易に外筒部材２及び内筒部材３を製造できるといった利点がある。
【００３４】
さらに、孔部90に挿入される棒状のウエイト係止部材92と、ウエイト係止部材92が水平状軸心廻りに揺動自在に枢結したフック部材93と、ウエイト係止部材92とフック部材93を枢着するためのピン部材94と、から成る挿入フック体91を備えている。
【００３５】
フック部材93は、Ｕ字乃至Ｊ字状のフック部を有し、かつ、基端側にウエイト係止部材92が枢結されると共に孔部90に差し込まれる枢着部93ｂを有している。枢着部93ｂはスリット状切欠部によって平面視コの字状に形成され、その切欠部にウエイト係止部材92の先端部92ａが差込状に配設されて枢着されている。
【００３６】
ピン部材94と、フック部材93の枢着部93ｂは、孔部90に挿入可能な大きさに形成されている。図16に示すように、ウエイト係止部材92とフック部材93の枢着部93ｂを孔部90に挿入すると、外筒部材２（内筒部材３）の内部で、ウエイト係止部材92が自重により水平状軸心（ピン部材94）廻りに揺動して垂下状となり、孔部90からの抜けが防止され、挿入フック体91を外筒部材２（内筒部材３）に取付けた状態となる。
【００３７】
ウエイト係止部材92は、直径寸法（又は、幅寸法及び厚み寸法）が孔部90の直径よりも小さく形成されているが、ウエイト係止部材92の長手方向寸法Ｌは孔部90の直径より大きく形成されている。さらに、図16に示す取付状態で、ウエイト係止部材92の最先端92ｄが、孔部90の内周面最高位置90ｄよりも、抜止め突出寸法Ｅだけ高位置に配設され、より確実に抜け止め効果が得られるように形成されている。言い換えると、ウエイト係止部材92は、取付状態で孔部90に差し込まれた枢着部93ｂよりも上方に突出する係止用の先端部92ａを有している。
【００３８】
そして、第２の実施形態のグリーンカーテン形成器具は、第１の実施の形態と同様に、突張部材１の下部に、テラス床面Ｔ２に当接する平面視矩形状の下当接部材５を備え、突張部材１の上部に、テラス天井面Ｔ１に当接する平面視矩形状の上当接部材６を備えている。
さらに、内筒部材３の上部と、上当接部材６の間に、上当接部材６の内筒部材３に対する上下方向の位置を調節（調整）可能、かつ、上方への押し力を付与して突張力を調節するための微調整手段７を備えている。
また、突張部材１に、内筒部材３を長手方向の位置で固定するためのロック手段８を備えている。
そして、図４乃至図６を用いて説明した引掛舌片22，32に関する作用効果を除いて、第１の実施形態と同様の作用・効果を得るものである。
なお、図示省略するが、外筒部材２と内筒部材３が重なった二重筒状部では、相互の孔部90を連通させて、挿入フック体91を差し込む。内筒部材３の下半部の孔部90のピッチ寸法を、外筒部材２の上半部の孔部90のピッチ寸法よりも細かく設定して、孔部90，90同士を合わせやすくするのが好ましい。
また、微調整手段７を、孔部90，90同士の上下方向ピッチ寸法よりも大きく上下方向調整可能に構成する（調節ボルト部材72の調整ネジ部を孔部90，90同士の上下方向ピッチ寸法よりも長く設ける）ことで、外筒部材２の孔部90と内筒部材３の孔部90が連通した位置で、外筒部材２と内筒部材３の相互伸縮を停止しても、テラスＴの形状や、テラス天井面Ｔ１の高さに容易かつ迅速に対応できる。
【００３９】
なお、本考案は設計変更可能であって、外筒部材２及び内筒部材３を樹脂製とするも良い。また、引掛舌片22，32、又は、孔部90を、３つの側壁21，31の内の一つの側壁21，31に限らず、２つの側壁21，32、又は、３つ全ての側壁21，31に設けても良い。また、微調整手段７を、突張部材１の下部側（外筒部材２の下部）に設けても良い。また、上当接部材６及び下当接部材５を平面視三角形状に形成するも良い。また、突張部材１を３本以上使用しても良い。また、ネット９を、１つ又は複数張設しても良い。
【００４０】
以上のように、本考案のグリーンカーテン形成器具は、横断面三角形状の外筒部材２と外筒部材２に長手方向に差し込まれた横断面三角形状の内筒部材３とを有し、テラス天井面Ｔ１とテラス床面Ｔ２の間で突張らせるように伸縮・固定自在な複数の突張部材１，１を備え、外筒部材２及び内筒部材３は、一側壁21ａ，31ａに貫設した孔部90を有し、さらに、ウエイト係止部材92と、ウエイト係止部材92に揺動自在に枢結したフック部材93と、を有する挿入フック体91を、孔部90に挿入して、外筒部材２及び内筒部材３の挿入フック体91に、植物が巻き付くためのネット９を引掛けてネット９を張設するように構成したので、ネット９の網目模様や、ネットの大きさに関係なく容易かつ迅速に、所望の位置にネット張設でき、しかも、容易に設置できる。特に、高層マンションのテラス（ベランダ）Ｔで、ネット９が突風等の強い風で飛ばされるのを防止できる。グリーンカーテンを、所望の位置（効率的な位置）に設けることができ、より良い省エネルギ効果を得ることができる。また、外筒部材２及び内筒部材３を横断面矩形状に形成した場合に比べて、同等の強度を有しつつも軽量に形成できる。ネット９の着脱を容易かつ迅速に行なうことができる。また、外筒部材２及び内筒部材３を容易かつ迅速に製造できる。
【００４１】
また、横断面三角形状の外筒部材２と外筒部材２に長手方向に差し込まれた横断面三角形状の内筒部材３とを有し、テラス天井面Ｔ１とテラス床面Ｔ２の間で突張らせるように伸縮・固定自在な複数の突張部材１，１を備え、外筒部材２及び内筒部材３は、一側壁21ａ，31ａに貫設した切欠によって形成される引掛舌片22，32を有し、外筒部材２及び内筒部材３の引掛舌片22，32に、植物が巻き付くためのネット９を引掛けてネット９を張設するように構成したので、ネット９の網目模様や、ネットの大きさに関係なく容易かつ迅速に、所望の位置にネット張設でき、しかも、容易に移設できる。特に、高層マンションのテラス（ベランダ）Ｔで、ネット９が突風等の強い風で飛ばされるのを防止できる。グリーンカーテンを、所望の位置（効率的な位置）に設けることができ、より良い省エネルギ効果を得ることができる。また、外筒部材２及び内筒部材３を横断面矩形状に形成した場合に比べて、同等の強度を有しつつも軽量に形成できる。ネット９の着脱及び突張部材１の取り外しを容易かつ迅速に行なうことができる。
【００４２】
また、外筒部材２の引掛舌片22は、一側壁21ａから突出状に形成され、内筒部材３の引掛舌片32は、一側壁31ａと同一平面状に形成されているので、内筒部材３にネット９を引掛け可能としながらも内筒部材３を外筒部材２に出し入れでき、突張部材１の伸縮作業を容易かつスムーズに行なうことができる。
【００４３】
また、伸縮・固定自在にて固定するためのロック手段８を備え、ロック手段８は、内筒部材３の一稜線39ａに沿って所定間隔毎に形成した複数の位置決め凹部38と、位置決め凹部38に嵌まり込むための係止凸部83ａを有する平面視への字状の押さえ部材83と、押さえ部材83を内筒部材３に対して接触・離間するように押さえ部材83に摺接するカム頭82ａを有する操作レバー82と、を備えているので、容易かつ迅速に一人でロック状態とロック解除状態に切換操作を行なうことができる。突張力を確実に保持できテラスＴに強い突張力をもって固定できる。
【００４４】
また、突張部材１は、テラス天井面Ｔ１に当接する上当接部材６と、上当接部材６の内筒部材３に対する上下方向位置を調節するための微調整手段７と、を備え、微調整手段７は、内筒部材３の上部に固着されると共に上当接部材６を上下方向スライド自在に保持する支持部材71と、支持部材71に螺着され上下方向に螺進退自在な複数の調節ボルト部材72と、を備え、調節ボルト部材72の螺進退にて上当接部材６の上下方向位置を調整するように構成したので、テラスＴの形状や、テラス天井面Ｔ１の高さに容易かつ迅速に対応して、突張部材１をテラスＴにより確実に固定でき、グリーンカーテンをテラスＴ内の所望の位置に形成できる。
【符号の説明】
【００４５】
１  突張部材
２  外筒部材
３  内筒部材
６  上当接部材
７  微調整手段
８  ロック手段
９  ネット
21ａ  一側壁
22  引掛舌片
31ａ  一側壁
32  引掛舌片
38  位置決め凹部
39ａ  一稜線
71  支持部材
72  調節ボルト部材
82  操作レバー
82ａ  カム頭
83  押さえ部材
83ａ  係止凸部
90  孔部
91  挿入フック体
92  ウエイト係止部材
93  フック部材
Ｔ１  テラス天井面
Ｔ２  テラス床面
【図１】
0003172662.tif 000003
【図２】
0003172662.tif 000004
【図３】
0003172662.tif 000005
【図４】
0003172662.tif 000006
【図５】
0003172662.tif 000007
【図６】
0003172662.tif 000008
【図７】
0003172662.tif 000009
【図８】
0003172662.tif 000010
【図９】
0003172662.tif 000011
【図１０】
0003172662.tif 000012
【図１１】
0003172662.tif 000013
【図１２】
0003172662.tif 000014
【図１３】
0003172662.tif 000015
【図１４】
0003172662.tif 000016
【図１５】
0003172662.tif 000017
【図１６】
0003172662.tif 000018